(57)【要約】  ウェイクアップ信号（ＷＵＳ）は、第１のキャリア周波数において第１のシステムタイミングで通信装置に送信され、ページングメッセージは、第２のキャリア周波数において第２のシステムタイミングで前記通信装置に送信され、前記ＷＵＳは、前記ページングメッセージが前記通信装置に送信されるかどうかを示す。前記通信装置は、スリープ状態（スリープモード）から起動し、前記第１のキャリア周波数で送信される再同期信号を受信する。
2021510259.tif 000002
【特許請求の範囲】
【請求項１】
第１のシステムタイミングと第２のシステムタイミングとの間のシステムタイミングオフセットを決定することと、
スリープ状態後、前記第１のシステムタイミングを取得するために、第１のキャリア周波数において下りリンク同期信号と同期することと、
前記第１のキャリア周波数においてウェイクアップ信号を受信することと、
前記ウェイクアップ信号がページングメッセージの送信を示す場合、前記システムタイミングオフセットを前記第１のシステムタイミングに適用して前記第２のシステムタイミングを決定することと、前記第１のキャリア周波数とは異なる第２のキャリア周波数において前記第２のシステムタイミングで前記ページングメッセージを受信することと、を含む、方法。
【請求項２】
前記システムタイミングオフセットを決定することは、前記システムタイミングオフセットを示すシステムタイミングオフセットメッセージを受信すること、を含む、請求項１に記載の方法。
【請求項３】
前記システムタイミングオフセットメッセージを受信することは、前記スリープ状態に入る前に、前記ページングメッセージを送信する基地局から、前記システムタイミングオフセットメッセージを受信することを含む、請求項２に記載の方法。
【請求項４】
前記システムタイミングオフセットを決定することは、
前記第１のシステムタイミングを使用する第１の基地局から第１のシステム下りリンク信号を受信することと、
前記第２のシステムタイミングを使用する第２の基地局から第２のシステム下りリンク信号を受信することと、
前記第１のシステム下りリンク信号及び前記第２のシステム下りリンク信号から前記システムタイミングオフセットを決定することと、
前記スリープ状態に入る前に、前記システムタイミングオフセットをメモリに記憶することと、及び、
前記スリープ状態を脱した後、前記メモリから前記タイミングオフセットを検索することと、を含む、請求項１に記載の方法。
【請求項５】
前記第１のキャリア周波数は、第１の通信技術のために割り当てられた第１の周波数帯域内にあり、前記第２のキャリア周波数は、第２の通信技術のために割り当てられた第２の周波数帯域内にある、請求項１に記載の方法。
【請求項６】
前記第１のキャリア周波数が前記第２のキャリア周波数よりも低い、請求項１に記載の方法。
【請求項７】
前記システムタイミングを前記適用して前記ページングメッセージを受信することは、前記第２の周波数帯において再同期信号を受信することなく、前記システムタイミングを適用して前記ページングメッセージを受信すること、を含む、請求項１に記載の方法。
【請求項８】
さらに、前記ページメッセージがページを含まない場合、前記スリープ状態に戻ることと、
前記ページングメッセージのデコードに成功し、前記ページングセージが前記ページを含むことを示す場合、接続状態に遷移することと、を含む、請求項１に記載の方法。
【請求項９】
スリープ状態後、第１のキャリア周波数で下りリンク信号と同期して第１のシステムタイミングを取得し、前記第１のキャリア周波数でウェイクアップ信号を受信する受信部と、
前記第１のシステムタイミングと第２のシステムタイミングの間のシステムタイミングオフセットを記憶するメモリと、
前記ウェイクアップ信号が、ページングメッセージの送信中を示すかどうかを決定する制御部と、
前記ウェイクアップ信号が前記ページングメッセージの送信中を示していると決定した前記制御部に応じて、前記システムタイミングオフセットを前記第１のシステムタイミングに適用して前記第２のシステムタイミングの第２のキャリア周波数で前記ページングメッセージを受信する前記受信部と、を備える、無線通信装置。
【請求項１０】
前記第１のキャリア周波数は、第１の通信技術に割り当てられた第１の周波数帯域内にあり、前記第２のキャリア周波数は、第２の通信技術に割り当てられた第２の周波数帯域内にある、請求項９に記載の前記無線通信装置。
【請求項１１】
前記第１のキャリア周波数は、前記第２のキャリア周波数よりも低い、請求項９に記載の前記無線通信装置。
【請求項１２】
前記受信部は、前記第２の周波数帯域内で再同期信号を受信することなく前記ページングメッセージを受信するために、通信タイミングを適用する、請求項９に記載の前記無線通信装置。
【請求項１３】
前記制御部は、さらに、
前記ページングメッセージがページを含まない場合、前記無線通信装置を前記スリープ状態に戻し、
前記ページングメッセージが前記ページを含んでいる場合、前記無線通信装置を接続状態に遷移する、請求項９に記載の前記無線通信装置。
【請求項１４】
第１のキャリア周波数内のウェイクアップ信号（ＷＵＳ）を無線通信装置に送信することと、
前記第１のキャリア周波数と異なる第２のキャリア周波数で前記無線通信装置に前記ページングメッセージを送信することと、を含み、
前記ＷＵＳは、前記モバイル装置に向けられたページングメッセージが送信されるか否かを示す、方法。
【請求項１５】
前記第１のキャリア周波数は、第１の通信技術に割り当てられた第１の周波数帯域内にあり、前記第２のキャリア周波数は、第２の通信技術に割り当てられた第２の周波数帯域内にある、請求項１４に記載の方法。
【請求項１６】
前記ＷＵＳは、前記無線通信装置によって受信されるとき、前記ページングメッセージの品質よりも高い品質で、前記無線通信装置によって受信される、請求項１４に記載の方法。
【請求項１７】
前記第１のキャリア周波数は、前記第２のキャリア周波数よりも低い、請求項１４に記載の方法。
【請求項１８】
前記第１の周波数帯内の前記ウェイクアップ信号（ＷＵＳ）を送信することは、第１の基地局から前記ウェイクアップ信号（ＷＵＳ）を送信することを含み、
前記ページングメッセージを前記無線通信装置に送信することは、第２の基地局から前記ページングメッセージを送信することを含み、
前記方法は、さらに、前記第２の基地局から、前記ＷＵＳ指示が前記第１の基地局に前記ＷＵＳを送信することを指示するＷＵＳ指示メッセージを前記第１の基地局に送信することを含む、請求項１４に記載の方法。
【請求項１９】
前記ＷＵＳ指示は、前記通信装置の通信装置識別子を含み、前記ＷＵＳを送信するための通信リソースを識別する、請求項１８に記載の方法。
【請求項２０】
前記ＷＵＳ指示を送信することは、Ｘ２通信リンクを介して前記ＷＵＳ指示を送信することを含む、請求項１８に記載の方法。
【請求項２１】
前記ＷＵＳ指示を送信することは、無線通信リンクを介して前記ＷＵＳ指示を送信することを含む、請求項１８に記載の方法。
【発明の詳細な説明】
【優先権の主張】
【０００１】
本出願は、２０１８年１月１０日に出願された米国仮出願番号第６２／６１５，５５０号、及び２０１８年１月１０日に出願された米国仮出願第６２／６１５，５５８号の優先権を主張し、本出願の譲受人に譲渡される。
【技術分野】
【０００２】
本発明は、一般に、無線通信及び、より詳細には、代替キャリア周波数におけるユーザー機器装置へのウェイクアップ信号の送信に関する。
【背景技術】
【０００３】
無線ネットワークにおいて、ユーザー機器（ＵＥ）装置は、そのサービング基地局との正確なシンボルタイミング同期を維持する必要がある。通信装置がサービング基地局から受信した下りリンク信号を正確にデコードするためには、ネットワーク同期が必要とされる。通信装置は、シンボル及びフレームの時間境界を追跡し、通信装置の内部クロックを調整するために、サービング基地局の同期信号をリッスンする。
【０００４】
電力を節約するために、通信装置は定期的にその送受信部をオフにし、スリープ状態に入る。通信装置は、定期的にスリープ状態からウェイクアップして、サービング基地局からページメッセージを受信したかどうか確認する。通信装置がページを受信した場合、通信装置は、後続の制御信号及びデータ信号を受信するために、オンのままになる。
【０００５】
明らかに、通信装置がスリープ状態を維持する時間が長ければ長いほど、通信装置はそのバッテリ消費を削減する。しかしながら、長期間スリープ状態を維持している通信装置は、公称タイミング値からクロックのドリフトを引き起こす結果になる。したがって、通信装置がウェイクアップする度に、通信装置はページメッセージを確認する前にシンボルタイミングを再取得しなければならない。
【０００６】
典型的に、通信装置は、通信装置がページメッセージを受信及びデコードするために必要な時間よりも、再同期するために、より長い時間がかかる。この再同期時間は、Ｍａｃｈｉｎｅ  ｔｙｐｅ  Ｃｏｍｍｕｎｉｃａｔｉｏｎｓ  （ＭＴＣ）  ＵＥ通信装置の非常に大きなオーバーヘッドになる。例えば、ＭＴＣネットワークの重要な側面である長いバッテリ寿命（例えば１０〜１５年以上）を達成するために、ＭＴＣ装置は、非常に長いスリープサイクルを有している。
【０００７】
実際に、いくつかのＭＴＣ装置のスリープサイクルは、数分間から数時間の間で可能である。このような長いスリープは、ＭＴＣ  ＵＥ装置のクロックドリフトをはるかに大きくする。さらに、ＭＴＣ装置は、下りリンクの受信信号強度が非常に低い、ディープカバレッジエリアで動作してもよい。極端なシナリオでは、ＭＴＣ装置における受信信号強度は、Ｓｉｇｎａｌ  ｔｏ  ｎｏｉｓｅ  ｒａｔｉｏ  （ＳＮＲ）＝−１４ｄＢと低くなる可能性がある。
【０００８】
大きいクロックドリフトを有し、非常に低い信号強度を受信すると、ＭＴＣ装置は、ウェイクアップ時にネットワークタイミングを取得するために数百ミリ秒かかることを強いられる。正確なタイミングを検出するためにそのように長い時間がかかる理由は、ＭＴＣ装置が、より高いＳＮＲを達成するために組み合わせる複数の繰り返しの同期信号の受信及び蓄積を、待機しなければならないからである。例えば、既存のＭＴＣ  Ｌｏｎｇ  Ｔｅｒｍ  Ｅｖｏｌｕｔｉｏｎ（ＬＴＥ）規格によれば、ＭＴＣ装置は、ウェイクアップ後のネットワークタイミングを取得するために、約８０プライマリ同期信号（ＰＳＳ）又はセカンダリ同期信号（ＳＳＳ）サブフレームを必要とする。ＰＳＳ／ＳＳＳサブフレームが５ミリ秒ごとに送信されると、ＭＴＣ  ＵＥ装置が再同期するために、８０ＰＳＳ／ＳＳＳサブフレーム＝４００ミリ秒が必要とされる。再同期を取得した後、ページメッセージの指示を確認するために、ＭＴＣ装置が、物理ダウンリンク制御チャネル（ＰＤＣＣＨ）をデコードするのに数ミリ秒しかかからない。
【発明の概要】
【０００９】
ウェイクアップ信号（ＷＵＳ）は、第１のキャリア周波数において第１のシステムタイミングで通信装置に送信され、ページングメッセージは、第２のキャリア周波数において第２のシステムタイミングで前記通信装置に送信され、前記ＷＵＳは、前記ページングメッセージが前記通信装置に送信されるかどうかを示す。前記通信装置はスリープ状態（スリープモード）から起動し、前記第１のキャリア周波数において送信された再同期信号を受信する。同期を取得し、前記第１のシステムタイミングを決定した後、前記通信装置は前記ＷＵＳを受信する。前記ＷＵＳが、ページングメッセージが送信されることを示す場合、前記通信装置は、システムオフセットを前記第１のシステムタイミングに適用して前記第２のシステムタイミングを獲得し、前記第２の周波数帯の第２のキャリア周波数において前記第２のシステムタイミングで前記ページングメッセージを受信する。
【図面の簡単な説明】
【００１０】
図１は、第１のキャリア周波数で送信されるウェイクアップ信号（ＷＵＳ）及び第２のキャリア周波数で送信されるページングメッセージが、ユーザー機器（ＵＥ）装置（通信装置）に送信される通信システムの一例のブロック図である。
【００１１】
図２は、第１の通信技術基地局及び第２の通信技術基地局としての使用に適した基地局の一例のブロック図である。
【００１２】
図３は、図１の通信装置としての使用に適したＵＥ通信装置３００の一例のブロック図である。
【００１３】
図４は、第１の通信技術基地局から送信されたＷＵＳ及び第２の通信技術基地局から送信されたページングメッセージ１０６の一例のメッセージング及びイベント図である。
【００１４】
図５は、スリープ状態を脱した後の通信システムとの再同期の方法のフローチャートの一例である。
【発明を実施するための形態】
【００１５】
上述のように、Ｍａｃｈｉｎｅ  ｔｙｐｅ  Ｃｏｍｍｕｎｉｃａｔｉｏｎｓ（ＭＴＣ）ユーザー機器（ＵＥ）装置のような通信装置は、電力節約のためにスリープ状態に入る。通信装置は、装置に通信ネットワークから通信が来たことを警告するページングメッセージを受信するためにスリープ状態から脱する必要がある。スリープ状態の間は、クロックドリフトにより、モバイル装置は通信ネットワークとのシステムタイミングを失う可能性がある。必要とされる再同期プロセスは比較的長い。さらに、同期の取得後、装置は、ページングメッセージが送信されるとき、ページング機会（ＰＯ）を待たなければならない可能性がある。装置は、再同期プロセス中及びＰＯを待っている間、電力を消費する。電力消費を削減するため、ページングメッセージが送信されるかどうかを示すウェイクアップ信号を、ＰＯの前に送信できることで、ページングメッセージが送信されない場合に、装置をスリープ状態に戻すことを可能とする。ＷＵＳは、典型的な１ビット又は２ビットメッセージであるため、再同期の相対的なオーバーヘッドは非常に大きい。言い換えると、装置は小さなメッセージを受信するためにかなりの時間及びエネルギーを消費しなければならない。したがって、再同期のための時間及びエネルギーを削減すると、電力消費が削減され、バッテリ寿命が延びる。
【００１６】
以下に説明する本明細書の例では、通信装置は、第２の周波数キャリアに同調する前に、第１の周波数キャリアで送信された信号から第１のシステムタイミングを取得する。モバイル装置が、ページングメッセージが送信されることを示し、第１のキャリア周波数で送信されるウェイクアップ信号（ＷＵＳ）を受信する場合、モバイル装置は、ページングメッセージを受信するために、第２の周波数帯の周波数に同調する。本明細書の例では、第１のキャリア周波数は、第１の通信技術に割り当てられた第１の周波数帯域内にあり、第２のキャリア周波数は、第２の通信技術に割り当てられた第２の周波数帯域内にある。同期信号及びウェイクアップ信号を、ページングメッセージの送信に使用される周波数帯とは異なるキャリア又は異なる周波数帯域で送信することには、いくつかの利点がある。状況によっては、同期及びＷＵＳに使用される周波数帯は、より良い伝搬特性を有し、高い信号品質となる可能性がある。より高い信号品質（例えば、より高いＳＮＲ）は、通信装置が同期を取得してＷＵＳを受信するために必要とされる時間を短縮する可能性がある。このような状況は、第１の周波数帯が第２の周波数帯よりも低い場合に発生する可能性がある。例えば、第１の周波数帯が第２の周波数帯よりも低い場合、第１の周波数帯域内で受信される信号は、より低い伝搬損失のために、第２の周波数帯域内で受信される信号よりも高い信号対雑音比（ＳＮＲ）で受信される可能性がある。他の状況では、下りリンク信号に第１の周波数帯を使用する基地局は、サービング基地局よりも通信装置に近接していてもよい。したがって、同期信号及びＷＵＳを送信するために第１の基地局を選択することは、第１の基地局がより近くなると同期信号及びＷＵＳの受信がより容易になる第１の周波数帯を介した送信を必要とする。より良い信号品質は、第２の周波数帯での再同期と比較して、再同期の時間を短縮する。他の状況では、通信リソースの効率的な管理は、同期信号及びＷＵＳを異なる周波数帯で送信することを含んでもよい。異なる周波数帯で同期信号及びＷＵＳを受信することは、他の目的及び他の実装の利点を促進する可能性がある。周波数帯は異なるが、状況によっては２つの異なる周波数帯が重なってもよい。
【００１７】
ページングメッセージが有効である場合、通信装置が、ページングメッセージを受信するために、第２の周波数帯の適切なキャリア周波数に同調する。本明細書の例では、第１の周波数帯において受信される信号から取得される第１のシステムタイミングは、ページングメッセージのような第２の周波数帯で送信されるメッセージのための再同期の必要性を緩和し、第２の周波数帯における第２のシステムタイミング（例えば、フレーム／サブフレームタイミング及びサブフレーム境界）を決定するために使用される。第１のシステムタイミングは、タイミングオフセットによる第２のシステムタイミングと異なる。本明細書中に説明するように、システムタイミングとは、送信信号のフレーム及びサブフレームの位置及び境界を指す。２つの周波数帯で送信される信号は異なる構造を有していてもよいが、第１のシステムタイミングが既知であり、タイミングオフセットが既知である場合に、第２のシステムタイミングを決定することができるように、構造間でリファレンスを確立することができる。タイミングオフセットは、通信装置が、第２の周波数帯で同期信号を受信することなくページングメッセージを受信するためのページングチャネルのシステムタイミングを決定することを可能にする任意の相関値又は絶対値である。状況によっては、タイミングオフセットは、第１の周波数帯で送信されたリファレンスに関するページングメッセージがいつ送信されるのかを示す期間であってもよい。
【００１８】
図１は、ウェイクアップ信号（ＷＵＳ）１０２が第１の周波数帯１０４の第１のキャリア周波数において送信され、ページングメッセージ１０６が第２の周波数帯１０８の第２のキャリア周波数においてユーザー装置（ＵＥ）装置１１０（通信装置）に送信される通信システム１００の一例のブロック図である。通信システム１００は、無線接続ネットワークの一部である様々な基地局のそれぞれのサービスエリア内に位置する通信装置に様々な無線サービスを提供する無線アクセスネットワーク（図示せず）の一部である。明確かつ簡潔にするために、図１の通信システム１００は、１つの第１の通信技術基地局１１２及び１つの第２の通信技術基地局１１４のみを有するように示されている。通信システム１００は、異なる通信技術を使用する任意の数の基地局を含んでもよい。
【００１９】
例えば、第１の周波数帯１０４は、第１の通信技術を使用する通信のために割り当てられており、第２の周波数帯１０８は、第２の通信技術を使用する無線通信のために割り当てられている。本明細書中に説明するように、通信技術とは、無線通信に対して、少なくとも周波数、タイミング、メッセージング及びプロトコルが定義されている、定義された無線技術である。他の多数のパラメータも、また、例えば、電力レベル及びネットワーク接続手順のように定義されてもよい。通信技術は、政府機関及び通信規格によって定義されてもよい。通信技術のいくつかの例としては、３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）通信仕様の改訂、５Ｇ  Ｎｅｗ  Ｒａｄｉｏ通信仕様の改訂、及びＩＥＥＥ  ８０２．１１通信規格によって定義される技術が含まれる。
【００２０】
本明細書の例では、第１の通信技術は、第２の通信技術と異なる。１つの例として、第１の通信技術は、ＩＥＥＥ  ８０２．１１によって定義されたＷｉＦｉであり、第２の通信技術は、３ＧＰＰ通信規格の改訂によって定義されている。ＷＵＳ１０２は、第１の通信技術基地局１１２によって送信され、ページングメッセージ１０６は、第２の通信技術基地局１１４によって送信される。２つの基地局間の通信リンク１１６は、第２の通信技術基地局１１４が、通信装置１１０への送信のために、ＷＵＳ１０２を送信するＷＵＳ指示１１８を第１の通信技術基地局１１２に送信することを可能にする。状況によっては、２つの基地局１１２、１１４は、共同設置されている。２つの基地局１１２、１１４は、また、単一のハードウェアアセンブリで実装されてもよい。他の状況では、単一の制御部は、２つの基地局１１２、１１４の機能を容易にするために、複数の無線ヘッドを管理してもよい。他の組み合わせ及び様態も、また、可能である。したがって、基地局１１２、１１４を参照して説明されたブロックの様々な機能及び動作は、任意の数の装置、回路又は要素で実装されてもよい。２つ又はそれ以上の機能的なブロックは、単一の装置に統合されてもよいし、任意の単一の装置で実行されるように説明された機能は、複数の装置にわたって実装されてもよい。
【００２１】
基地局１１２、１１４は、適用される期間が、時々、装置がサポートする通信技術に依存している場合は、トランシーバー局、アクセスポイント、ｅＮｏｄｅＢ又はｅＮＢとして、参照され得る。５Ｇ  Ｎｅｗ  Ｒａｄｉｏエアーインターフェースを使用する実装の場合、基地局は、時々、ｇＮＢとして参照される。基地局１１２、１１４は、無線ユーザー機器通信装置と、下りリンク信号を当該通信装置に送信すること及び上りリンク信号を受信することによって通信する。基地局が同じハードウェアの一部でも共同設置でもない場合、基地局１１２、１１４は、既知の技術に従って、バックホール（図示せず）を通して、ネットワークと接続されてもよい。したがって、通信リンク１１６は、状況によってはＸ２リンクである。
【００２２】
図２は、第１の通信技術基地局１１２及び第２の通信技術基地局１１４としての使用に適した基地局２００の一例のブロック図である。基地局２００は、制御部２０４、送信部２０６及び受信部２０８だけでなく、電子機器、ハードウェア及びコードを含む。図２には、特定の基地局通信に使用される、通信技術に基づいた、基地局２００の各ブロックの詳細な動作の機能的なブロックが描かれている。したがって、基地局１１２における制御部２０４、送信部２０６及び受信部２０８の詳細な動作は、基地局２１４におけるこれらの構成部品とは異なるだろう。
【００２３】
基地局１００は、本明細書において説明された機能を実行する、任意の固定機器、モバイル機器、又はポータブル機器である。基地局１１２、１１４、２００を参照して説明されたブロックの様々な機能及び動作は、任意の数の装置、回路、又は要素で実装されてもよい。２つ又はそれ以上の機能的なブロックは、単一の装置に統合されてもよいし、任意の単一の装置において実行されると説明された機能は、複数の装置にわたって実装されてもよい。基地局２００は、固定装置又は、システム導入時に特定の場所に設置される固定装置でもよい。そのような機器の例には、固定基地局又は固定トランシーバー局が含まれる。状況によっては、基地局２００は、特定の場所に一時的に設置されるモバイル機器であってもよい。そのような機器のいくつかの例には、発電機、ソーラーパネル、及び／又は電池などの発電機器を含み得るモバイルトランシーバー局が含まれる。このような機器のより大きく、より重い型は、トレーラーによって輸送されてもよい。さらに他の状況では、基地局２００は、いかなる特定の場所にも固定されていないポータブル装置であってもよい。したがって、基地局２００は、場合によっては、通信装置のようなポータブルユーザー装置であってもよい。
【００２４】
制御部２０４は、基地局２００の全体的な機能を容易にするだけでなく、本明細書において説明された機能を実行するためのハードウェア、ソフトウェア及び／又はファームウェアの任意の組み合わせを含む。適した制御部２０４の例は、メモリに接続されたマイクロプロセッサ又はプロセッサ装置上で実行されるコードを含む。送信部２０６は、無線信号を送信するように構成された電子機器を含む。状況によっては、送信部２０６は、複数の送信部を含んでもよい。受信部２０８は、無線信号を受信するように構成された電子機器を含む。状況によっては、受信部２０８は、複数の受信部を含んでもよい。受信部２０８及び送信部２０６は、それぞれ、アンテナ２１０を介して、信号を受信及び送信する。アンテナ２１０は、個別の送信アンテナと受信アンテナを含んでもよい。場合によっては、アンテナ２１０は、複数の送信アンテナ及び受信アンテナを含んでもよい。
【００２５】
図２の例における送信部２０６及び受信部２０８は、変調及び復調を含む無線周波数（ＲＦ）処理を実行する。したがって、受信部２０８は、低雑音増幅器（ＬＮＡ）やフィルタのような構成部品を含んでもよい。送信部２０６は、フィルタ及び増幅器を含んでもよい。その他の部品としては、アイソレータ、整合回路および他のＲＦ構成部品が挙げられる。これらの構成部品は、他の構成部品と組み合わせて、又は他の構成部品と協働して、基地局の機能を実行する。必要な構成部品は、基地局が必要とする特定の機能に依存してもよい。
【００２６】
送信部２０６は、変調器（図示せず）を備え、受信部２０８は復調器（図示せず）を備える。変調器は下りリンク信号の一部として送信される信号を変調し、複数の変調次数の任意の１つを適用することができる。復調器は、複数の変調次数のうち１つにしたがって、基地局２００で受信された任意の上りリンク信号を復調する。
【００２７】
本明細書の例では、基地局２００は、他の基地局とメッセージを送信及び受信するための通信インターフェース２１２を備える。通信インターフェース２１２は、他の基地局との通信を可能にするバックホール又はネットワークに接続されてもよい。状況によっては、基地局１１２、１１４間のリンク１１６は、少なくともいくつかの無線部分を含んでもよい。したがって、通信インターフェース２１２は、無線通信機能を含んでもよいし、送信部２０６及び／又は受信部２０８の構成部品のいくつかを利用してもよい。
【００２８】
図３は、図１の通信装置１１０としての使用に適したＵＥ通信装置３００の一例のブロック図である。いくつかの例では、通信装置３００は、携帯電話、トランシーバーモデム、パーソナルディジタルアシスタント（ＰＤＡ）、タブレット、又はスマートフォンのような任意の無線通信装置である。他の例では、通信装置３００は、マシンタイプ通信（ＭＴＣ）通信装置である。したがって、通信装置３００（１１０）は、本明細書で説明された機能を実行する任意の固定、モバイル、又はポータブル機器である。通信装置３００を参照して説明されたブロックの様々な機能及び動作は、任意の数の装置、回路、又は要素で実装されてもよい。２つ又はそれ以上の機能的なブロックを単一の装置に統合してもよいし、任意の単一の装置で実行されるように説明された機能をいくつかの装置に実装してもよい。
【００２９】
通信装置３００は、少なくとも制御部３０２、送信部３０４及び受信部３０６を備える。制御部３０２は、本明細書で説明される機能を実行するのと同時に、通信装置の全体的な機能を容易にするため、ハードウェア、ソフトウェア、及び／又はファームウェアの任意の組み合わせを含む。適した制御部３０２の例は、メモリに接続されたマイクロプロセッサ又はプロセッサ装置上で実行されるコードを含む。送信部３０４は、無線信号を送信するように構成された電子機器を含む。状況によっては、送信部３０４は、複数の送信部を含んでもよい。受信部３０６は、無線信号を受信するように構成された電子機器を含む。状況によっては、受信部３０６は、複数の受信部を含んでもよい。受信部３０４及び送信部３０６は、それぞれアンテナ３０８を介して信号を受信及び送信する。アンテナ３０８は、別個の送信アンテナ及び受信アンテナを含んでもよい。場合によっては、アンテナ３０８は、複数の送信アンテナ及び受信アンテナを含んでもよい。
【００３０】
図３の例における送信部３０４及び受信部３０６は、変調及び復調を含む無線周波数（ＲＦ）処理を実行する。したがって、受信部３０４は、低雑音増幅器（ＬＮＡ）及びフィルタのような構成部品を含んでもよい。送信部３０６は、フィルタ及び増幅器を含んでもよい。その他の構成部品としては、アイソレータ、整合回路および他のＲＦ構成部品が挙げられる。これらの構成部品は、他の構成部品との組み合わせ又は協働により、通信装置の機能が実施される。必要とされる構成部品は、通信装置が必要とする特定の機能に依存してもよい。
【００３１】
送信部３０６は、変調器（図示せず）を含み、受信部３０４は復調器（図示せず）を含む。変調器は、上りリンク信号の一部として送信される信号を変調するために、複数の変調次数の任意の１つを適用することができる。復調器は、複数の変調次数のうち１つに従って下りリンク信号を復調する。
【００３２】
動作中、通信装置１１０は、第２の基地局１１４によってサービスされ、第１の基地局１１２から信号を受信する。したがって、下りリンク信号を受信すると、通信装置１１０は下りリンク信号を復調し、これにより、サービング基地局１１４が通信装置１１０に提供している無線サービスの少なくとも１つに属するデータを含む符号化されたデータパケットが生成される。通信装置１１０は、データを取得するために、制御部３０２を使用して、符号化されたデータパケットを復号する。
【００３３】
通信装置は、メモリ３１０を含む。通信装置３００の動作に関連する他の情報を記憶することに加えて、メモリは、タイミングオフセットを記憶するように構成されている。タイミングオフセットが基地局１１２、１１４のうち１つから受信される場合、制御部３０２は、受信部３０６を通じて受信されたタイミングオフセットを含むメッセージを処理する。タイミングオフセット値は、メモリ３１０に記憶される。１つの例として、タイミングオフセットは、システム情報ブロードキャスト（ＳＩＢ）を介して第２の基地局１１４によって送信される。タイミングオフセットは、また、基地局１１２、１１４の両方から受信された下りリンク信号に基づいて、通信装置３００によって決定されてもよい。受信部３０６は、第１の基地局１１２から少なくとも１つの下りリンク信号を受信し、第２の基地局１１４から少なくとも１つの下りリンク信号を受信し、制御部３０２は、２つの信号のシステムタイミング間のタイミングオフセットを決定する。タイミングオフセットはメモリ３１０に記憶される。メモリ３１０は任意の適した構成部品又は装置であってもよい。
【００３４】
図１の例では、通信装置１１０は、第１の基地局１１２から送信されたＷＵＳを確認するために、スリープ状態からウェイクアップする。ウェイクすると、通信装置１１０は、受信部３０６をウォームアップし、ＷＵＳ１０２の下りリンクチャネルを確認する前に再同期を取得しようと試みる。通信装置１１０が再同期を取得するのを補助するために、第１の基地局１１２は、その送信部２０６及びアンテナ２１０を介して、再同期信号を通信装置１１０に送信する。状況によっては、第２の基地局１１４は、また、再同期信号及びＷＵＳを送信してもよい。
【００３５】
図４は、ＷＵＳが、第１の通信技術基地局１１２によって送信され、ページングメッセージ１０６が第２の通信技術基地局１１４によって送信される一例のメッセージング及びイベント図である。
【００３６】
送信４０２において、タイミングオフセットメッセージは、第２の通信技術基地局１１４によって通信装置１１０に送信される。メッセージ４０２が送信されるとき、通信装置は接続状態にあり、第２の通信技術基地局１１４のシステムタイミングに同期している。タイミングオフセットメッセージ４０２は、第１の通信技術基地局１１２の第１のシステムタイミングと第２の通信技術基地局１１４との間のタイミングオフセットを示す。タイミングオフセットメッセージを送信するための適した技術の例は、ＳＩＢを介してタイミングオフセットメッセージを送信することを含む。状況によっては、専用のメッセージングを使用してタイミングオフセットメッセージを送信することができる。送信４０２は、状況又は実装によっては、省略されてもよい。その結果、通信装置１１０は、送信４０４及び送信４０６を参照して以下で説明するように異なるシステムタイミングで送信された、受信された下りリンク信号に基づいてシステムタイミングオフセットを決定する必要があってもよい。図４において、タイミングオフセットメッセージ送信４０２を表す矢印は、送信４０２を省略されてもよいことを示すために点線で示されている。
【００３７】
送信４０４において、通信装置１１０は、第１の通信技術基地局１１２から下りリンク信号を受信する。送信４０４のとき、通信装置は接続状態にあり、第１の通信技術基地局１１２のシステムタイミングに同期している。
【００３８】
送信４０６において、通信装置１１０は、第２の通信技術基地局１１４から下りリンク信号を受信する。送信４０６のとき、通信装置は接続状態にあり、第２の通信技術基地局１１４のシステムタイミングに同期している。通信装置１１０は、２つの受信された下りリンク信号からシステムタイミングオフセットを決定する。システムタイミングオフセット情報が送信４０２のようなメッセージで受信された状況では、通信装置１１０は、下りリンク信号からシステムタイミングオフセットを決定しなくてもよい。したがって、システムタイミングオフセットを決定するために送信が必要でなくてもよいことを示すために、送信４０４、４０６は、図４において破線で示されている。
【００３９】
イベント４０８において、システムタイミングオフセットがメモリに記憶される。受信された信号から通信装置１１０によって決定されても、又はメッセージで受信されても、通信装置１１０は、システムタイミングオフセットをメモリ３１０に記憶する。
【００４０】
イベント４１０において、通信装置１１０はスリープ状態にある。本明細書の例では、通信装置は、第２の通信技術基地局１１４によってサービスを提供される。スリープ状態中、通信装置１１０は、信号を受信しない。内部クロックの不正確さ（ドリフティング）により、通信装置１１０は、スリープ状態中に通信ネットワークとのタイミングを失う可能性がある。その結果、通信装置は、スリープ状態を脱した後、ページングメッセージを受信する前に、第２の通信技術基地局１１４のシステムタイミングに再同期しなければならない。
【００４１】
イベント４１２において、通信装置１１０は、ウェイクアップし、受信回路をウォームアップする。通信装置は、スリープ状態を脱し、受信部をアクティブにし、受信部が下りリンク信号を受信する準備をする再起動手順を実行する。
【００４２】
送信４１４において、第２の通信技術基地局１１４は、ウェイクアップ信号（ＷＵＳ）指示１１８を第１の通信技術基地局１１２に送信する。ＷＵＳ指示１１８は、第１の通信技術基地局１１２に、ＷＵＳ１０２を通信装置１１０に送信するように指示する。第２の通信技術基地局１１４は、ページングメッセージが通信装置１１０に送信されること、及びＷＵＳが通信装置１１０に送信されるべきであることを決定する。第１の基地局は、Ｘ２バックホールを使用するか、又は、ＵＥ  ＩＤのような通信装置識別子、及びＷＵＳ信号の送信に使用されるリソースを無線で送信して、第２の基地局にＷＵＳ指示を送信する。一例では、通信装置をウェイクアップすることに加えて、ＷＵＳは、ページが送信されるリソース（例えば、ＵＥ  ＩＤ及び／又はページングリソースの関数である固有シーケンスでスクランブルされた１ビットＷＵＳ）を暗黙的に通信装置に通知することができる。
【００４３】
送信４１６において、第１の通信技術基地局１１２は、第１の周波数帯の第１の周波数キャリアで、再同期信号を送信する。再同期信号は、通信装置１１０がタイミング情報を取得することを可能にする任意の信号であってもよい。状況によっては、信号は、例えば、Ｚａｄｏｆｆ  Ｃｈｕ  （ＺＣ）シーケンスのような同期信号に適した、特別な自己相関／相関プロパティを有するシーケンスを含んでもよい。通信装置は、再同期信号を受信し、イベント４１８において第１の通信技術基地局１１２のタイミングと再同期する。
【００４４】
送信４２０において、第１の通信技術基地局１１２は、ＷＵＳ１０２を通信装置１１０に送信する。ＷＵＳ１０２は、第１の周波数帯１０４の第１のキャリ周波数で送信される。通信装置１１０は受信部３０６を第１の周波数帯域１０４の第１のキャリア周波数に同調させ、ＷＵＳ１０２を受信する。通信装置は、ＷＵＳをデコードし、ページングメッセージが通信装置に送信されるかどうかを決定する。状況によっては、ページングメッセージが送信されるときにのみＷＵＳが送信され、ＷＵＳがない場合は、ページングメッセージが送信されないことを示す。
【００４５】
イベント４２２において、通信装置は第２のシステムタイミングを決定する。通信装置は、メモリに記憶されたシステムタイミングオフセットを第１のシステムタイミングに適用して第２のシステムタイミングを決定する。
【００４６】
イベント４２４において、通信装置１１０は、第２の周波数帯の第２のキャリア周波数に同調してページングメッセージを受信する。ページングメッセージが保留中であることをＷＵＳが示す場合、通信装置は第２のキャリア周波数に同調してページングメッセージを樹脂する。通信装置は、第１のシステムタイミング及びシステムタイミングオフセットから決定された第２のシステムタイミングを適用して第２の周波数帯１０８においてページングメッセージを受信する。
【００４７】
送信４２６において、第２の通信技術基地局１１４は、ページングメッセージを送信する。第１の基地局１１２との再同期から決定されたタイミング情報を使用して、通信装置１１０はページングメッセージを受信する。
【００４８】
図５は、スリープ状態を脱した後に、通信システムへの再同期の方法の一例のフローチャートである。本明細書の例では、方法は、通信装置１１０及び通信装置２００のような通信装置によって実行される。方法のステップは、本明細書で説明されるもの、及び、図５の例において示されるものとは異なる順序で実行されてもよい。さらに、いくつかの例では、１つ又はそれ以上のステップを省略してもよい。他の例では、１つ又はそれ以上の追加ステップを追加してもよい。場合によっては、複数のステップが並行して実行されてもよい。
【００４９】
ステップ５０２において、システムタイミングオフセットが決定される。上述のように、システムタイミングオフセットは、状況によっては、メッセージにおいてネットワークから受信されてもよい。他の状況では、通信装置は、異なるシステムタイミングで送信された、受信された下りリンク信号を評価することにより、システムタイミングオフセットを決定してもよい。通信装置は、ステップ５０２において接続状態にある。
【００５０】
ステップ５０４において、システムタイミングオフセットは、ステップ５０６においてスリープ状態に遷移する前にメモリに記憶される。ステップ５０６において、スリープ状態が維持される。通信装置は、電力消費を削減するために、既知の技術に従って回路を適切な状態に置く。
【００５１】
ステップ５１０において、通信装置がスリープ状態を脱するべきかどうかが決定される。一例では、スリープ時間タイマーが満了したかどうかが判定される。スリープ状態を脱する必要がある場合、方法はステップ５１２に続く。そうでない場合、方法は、通信装置がスリープ状態を維持するステップ５０８に戻る。
【００５２】
ステップ５１２において、ウォームアップ手順が実行される。通信装置は、スリープ状態を脱し、トランシーバー回路を初期化し、動作の準備をする。したがって、受信部は、信号を受信する準備がされている。
【００５３】
ステップ５１４において、第１の周波数帯域内の第１のキャリア周波数における下りリンク信号が受信される。本明細書の例では、第１の通信技術基地局１１２は、第１の通信技術に割り当てられた第１の周波数帯機内の第１のキャリア周波数で同期信号を送信する。
【００５４】
ステップ５１６において、ウェイクアップ信号（ＷＵＳ）１０２は、第１の周波数帯域内の第１のキャリア周波数で受信される。通信装置は、第１の周波数帯の第１のキャリ周波数に同調され、ＷＵＳをデコードする。
【００５５】
ステップ５１８において、ページングメッセージが送信されることをＷＵＳが示すかどうかが決定される。ＷＵＳがページが送信されることを示す場合、方法は、ステップ５２０に進む。そうでない場合、方法は、通信装置がスリープ状態に戻るステップ５０８に戻る。
【００５６】
ステップ５２０において、通信装置が第２のシステムタイミングを決定する。通信装置は、メモリに記憶されたシステムタイミングオフセットを第１のシステムタイミングに適用して第２のシステムタイミングを決定する。
【００５７】
ステップ５２２において、ページングメッセージは、第２の周波数帯で受信される。通信装置は、第１のシステムタイミング及びシステムタイミングオフセットから決定された第２のシステムタイミングを使用して、ページング機会にアクセスし、ページングメッセージを受信する。
【００５８】
ステップ５２４において、通信装置のためのページが受信されたかどうかが判断される。通信装置は、ページングメッセージをデコードし、通信装置がページされたかどうかを判断する。ページが受信された場合、方法は、通信装置は接続状態に遷移するステップ５２６に続く。そうでない場合、方法は、通信装置がスリープ状態に入るステップ５０８に戻る。
【００５９】
本明細書の例では、基地局１１２、１１４は、異なる通信技術を使用している。状況によっては、しかしながら、基地局１１２、１１４は、同じ通信技術を使用してもよいが、異なる周波数帯で動作してもよいし、同じシステムタイングを有しなくてもよい。その結果、本明細書で説明される技術は、２つの基地局が同じ技術を使用し、同じシステムタイミングを有しない状況に適用する。
【００６０】
明らかに、本発明の他の実施形態および修正形態は、当業者ならこれらの教示を考慮して容易に思いつくであろう。上記の説明は例示的なものであり、限定的なものではない。本発明は、上記の明細書および添付の図面と併せて見たときに、そのようなすべての実施形態および修正形態を含む下記の特許請求の範囲によってのみ限定されるものとする。したがって、本発明の範囲は、上記の説明を参照して決定されるべきではなく、代わりに、添付の特許請求の範囲およびそれらの均等物の全範囲を参照して決定されるべきである。
【図１】
2021510259.tif 000003
【図２】
2021510259.tif 000004
【図３】
2021510259.tif 000005
【図４】
2021510259.tif 000006
【図５】
2021510259.tif 000007
【国際調査報告】
2021510259.tif 000008
2021510259.tif 000009